(57)【要約】【課題】全方位から見て脚が細く見えるようにしたストッキングを提供すること。【解決手段】濃染素材からなるＡ糸と、淡染素材からなるＢ糸とを用いて１：１の交編とされるストッキングであって、タック編又はミス編部分Ｍとプレーン編部分Ｐとがストッキングの周方向に交互に形成されるように編成され、前記タック編又はミス部分Ｍとプレーン編部分Ｐとがストッキングの周方向に交互に形成される態様が、正面（前）と背面（後）の周方向分割面数と、右側面（横）と左側面（横）の周方向分割面数とが同じとなるようにストッキングの周方向を複数に等分割して編成されている。【選択図】図１
2010084254.tif 000002
【特許請求の範囲】
【請求項１】
濃染素材からなるＡ糸と、淡染素材からなるＢ糸とを用いて１：１の交編とされるストッキングであって、タック編又はミス編部分とプレーン編部分とがストッキングの周方向に交互に形成されるように編成され、前記タック編又はミス編部分とプレーン編部分とがストッキングの周方向に交互に形成される態様が、正面（前）と背面（後）の周方向分割面数と、右側面（横）と左側面（横）の周方向分割面数とが同じとなるようにストッキングの周方向を複数に等分割して編成されていることを特徴とするストッキング。
【請求項２】
濃染素材からなるＡ糸と、淡染素材からなるＢ糸とを用いて１：１の交編とされるストッキングであって、タック編又はミス編部分とプレーン編部分とがストッキングの周方向に交互に形成されるように編成され、しかも、前記タック編又はミス編部分が、前記Ａ糸のタック編又はミス編部分とＢ糸のタック編又はミス編部分とが前記プレーン編部分を間に挟んでストッキングの周方向に交互に形成されるように編成され、さらに、これら各部分の編成態様が、正面（前）と背面（後）の周方向分割面数と、右側面（横）と左側面（横）の周方向分割面数とが同じとなるようにストッキングの周方向を複数に等分割して編成されていることを特徴とするストッキング。
【請求項３】
前記タック編又はミス編部分は、正面（前）及び背面（後）の中央部にＡ糸のタック編又はミス編部分が形成され、左右両側面（横）の中央部にＢ糸のタック編又はミス編部分が形成されるように編成されていることを特徴とする請求項１又は２に記載のストッキング。
【請求項４】
前記タック編又はミス編部分は、１コース〜数コースおきで編成されていることを特徴とする請求項１〜３の何れか１項に記載のストッキング。
【請求項５】
前記周方向の等分割数は、８分割又は１６分割とされていることを特徴とする請求項１〜４の何れか１項に記載のストッキング。
【請求項６】
前記周方向の等分割数が１６分割の場合において、正面（前）及び背面（後）の中央部の両側に隣接する分割面位置にはＡ糸のタック編又はミス編部分が形成され、左右両側面（横）の中央部の両側に隣接する分割面位置にはＢ糸のタック編又はミス編部分が形成されるように編成されていることを特徴とする請求項５に記載のストッキング。
【発明の詳細な説明】
【技術分野】
【０００１】
本発明は、着用した際、脚を細く見せるようにしたストッキングの改良に関するものである。
【背景技術】
【０００２】
従来、着用した際、脚を細く見せるようにしたストッキングは既に公知であり、このような効果を出すために次のような方法があった。
（１）編目の大小、密度による方法（特許文献１〜３参照）。
（２）着色による方法（特許文献４，５参照）。
（３）特定の素材による方法（特許文献６参照）。
【特許文献１】特許第２９２８７６２号公報
【特許文献２】特許第３７４９６５５号公報
【特許文献３】特開平２−２６９０１号公報
【特許文献４】実公昭４２−２６５１号公報
【特許文献５】特開２００７−１４６３０９号公報
【特許文献６】特開平１０−２１２６０１号公報
【発明の開示】
【発明が解決しようとする課題】
【０００３】
従来の３つの方法は、正面（前）及び背面（後）から見たときには、脚が細く見える効果を奏するものの、それ以外の方向、例えば、左右側面（横）から見たときには、そのような効果が得られないという共通の欠点があった。
本発明は、全方位から見て脚が細く見えるようにしたストッキングを提供することを目的としている。
【課題を解決するための手段】
【０００４】
前記目的を達成するために本発明は、濃染素材からなるＡ糸と、淡染素材からなるＢ糸とを用いて１：１の交編とされるストッキングであって、タック編又はミス編部分とプレーン編部分とがストッキングの周方向に交互に形成されるように編成され、前記タック編又はミス編部分とプレーン編部分とがストッキングの周方向に交互に形成される態様が、正面（前）と背面（後）の周方向分割面数と、右側面（横）と左側面（横）の周方向分割面数とが同じとなるようにストッキングの周方向を複数に等分割して編成されていることを特徴としている。
【０００５】
この構成によれば、濃淡差のあるＡ糸とＢ糸との２種類の糸の１：１の交編と、タック編又はミス編部分（粗）とプレーン編部分（密）との周方向交互配置との組み合わせによって、ストッキングの周方向の全方位で濃度の粗密を同一条件で分布形成することができ、これによって、全方位でどこから見ても脚が細く見えるストッキングを提供することができる。
また、本発明は、濃染素材からなるＡ糸と、淡染素材からなるＢ糸とを用いて１：１の交編とされるストッキングであって、タック編又はミス編部分とプレーン編部分とがストッキングの周方向に交互に形成されるように編成され、しかも、前記タック編又はミス編部分が、前記Ａ糸のタック編又はミス編部分とＢ糸のタック編又はミス編部分とが前記プレーン編部分を間に挟んでストッキングの周方向に交互に形成されるように編成され、さらに、これら各部分の編成態様が、正面（前）と背面（後）の周方向分割面数と、右側面（横）と左側面（横）の周方向分割面数とが同じとなるようにストッキングの周方向を複数に等分割して編成されていることを特徴としている。
【０００６】
この構成によれば、濃淡差のあるＡ糸とＢ糸との２種類の糸の１：１の交編と、タック編又はミス編部分（密）とプレーン編部分（粗）との周方向交互配置との組み合わせによって、ストッキングの周方向の全方位で濃度の粗密を同一条件で分布形成することができ、これによって、全方位でどこから見ても脚が細く見えるストッキングを提供することができる。
前記タック編又はミス編部分は、正面（前）及び背面（後）の中央部にＡ糸のタック編又はミス編部分が形成され、左右両側面（横）の中央部にＢ糸のタック編又はミス編部分が形成されるように編成されていることを特徴としている。
【０００７】
この構成によれば、見た目の濃度差が、Ａ糸タック編又はミス編部分＜プレーン編部分＜Ｂ糸タック編又はミス編部分の３段階の分布となり、これをストッキングの周方向の全方位で同一条件で分布形成することができ、これによって、全方位でどこから見ても脚が細く見えるストッキングを提供することができる。即ち、正面（前）及び背面（後）においては、濃染素材から成るＡ糸がタック編又はミス編される為、淡染素材であるＢ糸が表目として表れ、その結果、見た目に淡く、又、逆に左右側面（横）においては、Ｂ糸がタック編又はミス編される結果、Ａ糸の影響を強く受けて濃く見えることになる。
【０００８】
前記タック編又はミス編部分は、１コース〜数コースおきで編成されていることを特徴としている。
この構成によれば、タック編又はミス編部分が１コースおきで編成された場合と、複数コースおきで編成された場合とでプレーン編部分に対する濃淡差を変化させることができ、これによっても前記と同様に、全方位でどこから見ても脚が細く見えるストッキングを提供することができる。
前記周方向の等分割数は、８分割又は１６分割とされていることが好ましい。
【０００９】
この構成によれば、８分割よりも１６分割の方が濃淡差の周方向分布を細かくすることができ、より自然な濃淡差分布が得られ、これによって、全方位でどこから見ても脚が細く見えるストッキングを提供することができる。なお、１６分割以上は、分割数が過多となり、また、８分割以下では、分割数が過少となる。
また、前記周方向の等分割数が１６分割の場合においては、正面（前）及び背面（後）の中央部の両側に隣接する分割面位置にはＡ糸のタック編又はミス編部分が形成され、左右両側面（横）の中央部の両側に隣接する分割面位置にはＢ糸のタック編又はミス編部分が形成されるように編成されていることが好ましい。この構成によれば、自然な濃淡差分布が得られ、これによって、全方位でどこから見ても脚が細く見えるストッキングを提供することができる。
【発明の効果】
【００１０】
本発明によれば、全方位から見て脚が細く見えるようにしたストッキングを提供することがでる。
【発明を実施するための最良の形態】
【００１１】
以下、本発明の実施形態を図面を参照して説明する。
本発明の第１の実施形態は、図１及び図２に示すように、濃染素材からなるＡ糸と、淡染素材からなるＢ糸とを用いて１：１の交編とされ、かつ、１×１のタック編又はミス編部分Ｍとプレーン編（平編）部分Ｐとがストッキングの周方向に交互に形成されるように編成される。図２において、○印はプレーン編、×印はタック編又はミス編を示している。
上記１：１の交編とは、Ａ糸とＢ糸とを１コースごとに交互に丸編機に供給して編成させることである。また、タック編とは、連続する編成運動の中で、編み針のべらを開いたままで糸掛けするので、旧編目を編み針に掛けたままで編目を作らず、次の編成運動で新しく供給した糸とともに編目を形成する編み方であって、編目の１つを次のコースの編目とともにとばしてその次のコースの編目にからませて編む組織である。また、ミス編とは、浮き編（フロート編）のことであり、この浮き編とする部分では、編針に糸掛けできないように、編針を低い位置に保持し、編地の裏に糸を浮かせて編む組織である。
【００１２】
この場合、前記タック編又はミス編部分Ｍとプレーン編部分Ｐとがストッキングの周方向に交互に形成される態様が、図１に示すように、正面（前）と背面（後）の周方向分割面数と、右側面（横）と左側面（横）の周方向分割面数とが同じとなるようにストッキングの周方向を複数に等分割して編成されている。上記条件を満たす周方向分割数は、４、８、１６、３２・・・等の２の倍数があるが、図１は８等分に分割した場合を例示している。周方向分割数は、８以下では過少であり、本発明の目的を達成できず、１６以上では過多であって、目視で識別し難くなり、やはり本発明の目的を達成できなくなる。
【００１３】
図１は、ストッキングを長手方向に直交する平面で切断した場合の概略横断平面図を示しており、全体が前後方向に長く、横方向に短い楕円として示している。この場合、楕円の回りの数字１〜８はストッキングの周方向の分割面の位置を表示する符号であって、各数字の位置における編組織は図２に示すような態様とされる。
即ち、数字１、３、５、７の位置では、タック編又はミス編部分Ｍとされ、数字２、４、６、８の位置では、プレーン編Ｐとされている。これは、タック編又はミス編部分Ｍとプレーン編部分Ｐとがストッキングの周方向に交互に形成されることを表している。
【００１４】
しかも、図２は、数字１、３、５、７の位置のタック編又はミス編部分Ｍにおいて、タック編又はミス編される糸は、Ａ糸かＢ糸の何れか一方の糸とされるもので、その際、数字１、５の位置では、Ａ糸がタック編又はミス編され、数字３、７の位置では、Ｂ糸がタック編又はミス編されることを表している。これは、タック編又はミス編部分Ｍとプレーン編部分Ｐとがストッキングの周方向に交互に形成されるように編成され、しかも、前記タック編又はミス編部分Ｍが、前記Ａ糸のタック編又はミス編部分ＭａとＢ糸のタック編又はミス編部分Ｍｂとが前記プレーン編部分Ｐを間に挟んで周方向に交互に形成されることを表している。
【００１５】
図３は、図１及び図２の数字１の位置における編組織の具体的な構成例図を示しており、Ａ糸とＢ糸とが１：１で交編され、その際、Ａ糸が１×１でタック編又はミス編されていることを表している。但し、タック編又はミス編は×印で表し、プレーン編は○印で表しており（以下、同様）、図３は、４コース分だけを例示しているが、具体的には、ストッキングの周方向の分割位置１において、この４コース分を繰り返しの１単位として複数単位がストッキングの長手方向に繰り返されるものである。
図４は、図１及び図２の数字２の位置における編組織の具体的な構成例図を示しており、この場合もＡ糸とＢ糸とが１：１で交編され、その際、Ａ糸とＢ糸とは両方ともプレーン編されていることを表している。この場合も、４コース分だけを例示しているが、具体的には、ストッキングの周方向の分割位置２において、この４コース分を繰り返しの１単位として複数単位がストッキングの長手方向に繰り返されるものである。
【００１６】
図５は、図１及び図２の数字３の位置における編組織の具体的な構成例図を示しており、この場合もＡ糸とＢ糸とが１：１で交編され、その際、Ｂ糸が１×１でタック編又はミス編されていることを表している。但し、図５は、４コース分だけを例示しているが、具体的には、ストッキングの周方向の分割位置３において、この４コース分を繰り返しの１単位として複数単位がストッキングの長手方向に繰り返されるものである。
図１及び図２の数字４、６、８の位置における編組織は、図４と同一である。また、図１及び図２の数字５の位置における編組織は、図３と同一とされ、数字７の位置における編組織は、図５と同一とされる。
【００１７】
図６は、本発明の第２の実施形態を示しており、この場合、周方向分割数を１６とした場合のストッキングの長手方向に直交する平面で切断した概略横断平面図であって、数字１〜１６は、周方向の各分割位置を示している。
図７は、図６の各分割位置の編組織の概略構成例図を示すもので、タック編又はミス編は×印で表し、プレーン編は○印で表しており、Ａ糸のタック編又はミス編はＭａ１、Ｍａ２、Ｍａ３の３種類とし、Ｂ糸のタック編又はミス編はＭｂ１、Ｍｂ２、Ｍｂ３の３種類とし、これらは、プレーン編部分Ｐの両側で交互に配置している。なお、図７は、４コース分だけを例示しているが、具体的には、ストッキングの周方向の各分割位置において、この４コース分を繰り返しの１単位として複数単位がストッキングの長手方向に繰り返されるものである。また、各区分（分割位置）における編組織及びピッチの具体例は、図３〜図５を例示できる。
【００１８】
前記周方向の等分割数が１６分割とされた場合においては、前述のように、正面（前）及び背面（後）の中央部（分割面位置１と９）の両側に隣接する分割面位置（１６と２、８と１０）にはＡ糸のタック編又はミス編部分Ｍａ１、Ｍａ３が形成され、左右両側面（横）の中央部（分割面位置５と１３）の両側に隣接する分割面位置（４と６、１２と１４）にはＢ糸のタック編又はミス編部分Ｍｂ１、Ｍｂ３が形成されるように編成されている。
上記各実施形態の編組織は、編機をコンピュータ制御することによって編成されるのが好ましい。
【００１９】
本発明において、濃染素材からなるＡ糸及び淡染素材からなるＢ糸とは、通常の条件で染色されたとき、Ａ糸の方がＢ糸よりも相対的に濃く染まる素材で構成されているという意味で使用している。具体的な素材例としては、次のものがある。
濃染素材からなるＡ糸
例：ポリウレタン糸（２２デシテックス）を芯糸とし、吸放湿性ポリアミド糸（商品名      ＝キュープ  １３デシテックス）をカバー糸としたシングルカバリング糸。
淡染素材からなるＢ糸
例：ポリウレタン糸（３３デシテックス）を芯糸とし、ブライトポリアミド糸（異形断      面光沢糸  １３デシテックス／５フィラメント）をカバー糸としたシングルカバリ      ング糸。
【００２０】
本発明の実施形態では、前記条件で編成後に染色（ブラウン系統）したが、編成前に染色した糸を使用して編成してもよい。この実施形態の糸では、カバー糸の性質の相違によって、Ａ糸は濃く染まり、Ｂ糸は淡く染まることとなり、光沢もＢ糸の方がＡ糸よりも強いため、光の当たり具合によって濃淡の影響を受け易い。
上記第１の実施形態の構成によれば、濃淡差のあるＡ糸とＢ糸との２種類の糸の１：１の交編と、１×１のタック編又はミス編部分（粗）とプレーン編部分（密）との周方向交互配置との組み合わせによって、ストッキングの周方向の全方位で濃度の粗密（陰影のでき方）を同一条件で分布形成することができ、これによって、全方位でどこから見ても脚が細く見えるストッキングを提供することができる。
【００２１】
その際、図２に示すように、正面（前）及び背面（後）の中央部にＡ糸のタック編又はミス編部分Ｍａが形成され、左右両側面（横）の中央部にＢ糸のタック編又はミス編部分Ｍｂが形成されるような編組織とした場合では、見た目の濃度差が、Ａ糸タック編部分ＴＡ＜プレーン編部分Ｐ＜Ｂ糸タック編部分ＴＢの３段階の分布となる。
前記タック編又はミス編部分Ｍａ、Ｍｂは、１×１の場合を例示しているが、３×１としてもよく、或いは、１コース〜数コースおきで編成してもよい。タック編又はミス編部分Ｍａ、Ｍｂが１コースおきで編成された場合と、複数コースおきで編成された場合とでプレーン編部分Ｐに対する濃淡差を変化させることができる。
【００２２】
本発明の実施形態は以上であるが、本発明は、これらの実施形態にのみ制約されるものではなく、種々変更して実施することができる。例えば、使用する糸は、例示したもの以外のものを使用してもよい。そして、対象商品としては、通常丈のストッキング（大腿部上部までのストッキング）、ショートストッキング（膝上までのストッキングや膝下までのストッキング）、パンティストッキング等を含むものである。
【図面の簡単な説明】
【００２３】
【図１】本発明の第１の実施形態におけるストッキングの概略横断平面図である。
【図２】図１における各分割位置の編組織の概略構成図である。
【図３】図１、図２の分割位置１における編組織の具体的な構成例図である。
【図４】図１、図２の分割位置２における編組織の具体的な構成例図である。
【図５】図１、図２の分割位置３における編組織の具体的な構成例図である。
【図６】本発明の第２の実施形態におけるストッキングの概略横断平面図である。
【図７】図６における各分割位置の編組織の概略構成図である。
【符号の説明】
【００２４】
Ｍ    タック編又はミス編部分
Ｐ    プレーン編部分
Ｍａ    Ａ糸のタック編部分
Ｍｂ    Ｂ糸のタック編部分
【図１】
2010084254.tif 000003
【図２】
2010084254.tif 000004
【図３】
2010084254.tif 000005
【図４】
2010084254.tif 000006
【図５】
2010084254.tif 000007
【図６】
2010084254.tif 000008
【図７】
2010084254.tif 000009